(57)【要約】  本発明は、撮影機能を調節する制御方法、制御装置、端末機器、プログラム及び記録媒体に関し、撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、前記タッチ領域が前記タッチ操作を受信したと判断した場合、所定の制御情報に基づいて、撮影アプリケーション中の要素の動作状態を切り替えるステップとを含む。このようにして、撮影する時に撮影者のタッチ操作し易いタッチ領域に対する制御によって、現在の被制御要素の動作状態に対する便利な切り替えを実現して、撮影効率及び撮影品質を改善した。【選択図】図１
2017535208.tif 000002
【特許請求の範囲】
【請求項１】
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、
前記タッチ領域が前記タッチ操作を受信したと判断した場合、所定の制御情報に基づいて、撮影アプリケーション中の要素の動作状態を切り替えるステップと
を含むことを特徴とする撮影機能を調節する制御方法。
【請求項２】
前記要素がカメラであると、所定の制御情報に基づいて、撮影アプリケーション中の要素の動作状態を切り替えるステップは、
所定の制御情報に基づいて、前記カメラの動作状態を、フロントカメラ撮影、或いは、リアカメラ撮影に切り替えるステップ
を含むことを特徴とする請求項１に記載の撮影機能を調節する制御方法。
【請求項３】
前記要素がフラッシュであると、所定の制御情報に基づいて、撮影アプリケーション中の要素の動作状態を切り替えるステップは、
所定の制御情報に基づいて、前記フラッシュの動作状態を、オン、オフ、或いは、自動に切り替えるステップ
を含むことを特徴とする請求項１に記載の撮影機能を調節する制御方法。
【請求項４】
前記要素がフロントカメラであると、所定の制御情報に基づいて、撮影アプリケーション中の要素の動作状態を切り替えるステップは、
所定の制御情報に基づいて、前記フロントカメラの動作状態を、写真撮影、或いは、動画撮影に切り替えるステップ
を含むことを特徴とする請求項１に記載の撮影機能を調節する制御方法。
【請求項５】
前記要素がリアカメラであると、所定の制御情報に基づいて、撮影アプリケーション中の要素の動作状態を切り替えるステップは、
所定の制御情報に基づいて、前記リアカメラの動作状態を、写真撮影、或いは、動画撮影に切り替えるステップ
を含むことを特徴とする請求項１に記載の撮影機能を調節する制御方法。
【請求項６】
前記タッチ領域が一つある場合、
前記制御情報は、タッチ操作と要素との対応関係、及び、前記要素の複数の動作状態に対応する切り替え順序を含み、
所定の制御情報に基づいて、撮影アプリケーション中の要素の動作状態を切り替えるステップは、
前記タッチ操作によって、前記対応関係に基づいて、前記タッチ操作に対応する要素を取得するステップと、
前記要素に対応する切り替え順序に基づいて、現在の被制御要素に対応する複数の動作状態を切り替えるステップと
を含むことを特徴とする請求項１乃至５の中のいずれか１項に記載の撮影機能を調節する制御方法。
【請求項７】
前記タッチ領域が複数あると、
前記制御情報は、各タッチ領域の中のタッチ操作と要素との対応関係、及び、前記要素の複数の動作状態に対応する切り替え順序を含み、
所定の制御情報に基づいて、撮影アプリケーション中の要素の動作状態を切り替えるステップは、
前記タッチ領域によって前記タッチ操作を受信し、前記対応関係に基づいて、前記タッチ領域に対応する要素を取得するステップと、
前記要素に対応する切り替え順序に基づいて、前記要素に対応する複数の動作状態を切り替えるステップと
を含むことを特徴とする請求項１乃至５の中のいずれか１項に記載の撮影機能を調節する制御方法。
【請求項８】
前記タッチ操作は、シングルクリック、マルチクリック、ダブルクリック、シングルスライド、及び／或いは、マルチスライドを含む
ことを特徴とする請求項１乃至５の中のいずれか１項に記載の撮影機能を調節する制御方法。
【請求項９】
前記タッチ領域は、表示スクリーンの左側領域、表示スクリーンの右側領域、及び／或いは、表示スクリーンの下側領域を含む
ことを特徴とする請求項１乃至５の中のいずれか１項に記載の撮影機能を調節する制御方法。
【請求項１０】
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するためのモニタリングモジュールと、
前記タッチ領域が前記タッチ操作を受信したと判断した場合、所定の制御情報に基づいて、撮影アプリケーション中の要素の動作状態を切り替えるための制御モジュールと
を備えることを特徴とする撮影機能を調節する制御装置。
【請求項１１】
前記要素がカメラであると、前記制御モジュールは、所定の制御情報に基づいて、前記カメラの動作状態を、フロントカメラ撮影、或いは、リアカメラ撮影に切り替える
ことを特徴とする請求項１０に記載の撮影機能を調節する制御装置。
【請求項１２】
前記要素がフラッシュであると、前記制御モジュールは、所定の制御情報に基づいて、前記フラッシュの動作状態を、オン、オフ、或いは、自動に切り替える
ことを特徴とする請求項１０に記載の撮影機能を調節する制御装置。
【請求項１３】
前記要素がフロントカメラであると、前記制御モジュールは、所定の制御情報に基づいて、前記フロントカメラの動作状態を、写真撮影、或いは、動画撮影に切り替える
ことを特徴とする請求項１０に記載の撮影機能を調節する制御装置。
【請求項１４】
前記要素がリアカメラであると、前記制御モジュールは、所定の制御情報に基づいて、前記リアカメラの動作状態を、写真撮影、或いは、動画撮影に切り替える
ことを特徴とする請求項１０に記載の撮影機能を調節する制御装置。
【請求項１５】
前記タッチ領域が一つある場合、
前記制御情報は、タッチ操作と要素との対応関係、及び、前記要素の複数の動作状態に対応する切り替え順序を含み、
前記制御モジュールは、
前記タッチ操作によって、前記対応関係に基づいて、前記タッチ操作に対応する要素を取得するための第１取得ユニットと、
前記要素に対応する切り替え順序に基づいて、現在の被制御要素に対応する複数の動作状態を切り替えるための第１切替ユニットと
を備えることを特徴とする請求項１０乃至１４の中のいずれか１項に記載の撮影機能を調節する制御装置。
【請求項１６】
前記タッチ領域が複数あると、
前記制御情報は、各タッチ領域の中のタッチ操作と要素との対応関係、及び、前記要素の複数の動作状態に対応する切り替え順序を含み、
前記制御モジュールは、
前記タッチ領域によって前記タッチ操作を受信し、前記対応関係に基づいて、前記タッチ領域に対応する要素を取得するための第２取得ユニットと、
前記要素に対応する切り替え順序に基づいて、前記要素に対応する複数の動作状態を切り替えるための第２切替ユニットと
を備えることを特徴とする請求項１０乃至１４の中のいずれか１項に記載の撮影機能を調節する制御装置。
【請求項１７】
前記タッチ操作は、シングルクリック、マルチクリック、ダブルクリック、シングルスライド、及び／或いは、マルチスライドを含む
ことを特徴とする請求項１０乃至１４の中のいずれか１項に記載の撮影機能を調節する制御装置。
【請求項１８】
前記タッチ領域は、表示スクリーンの左側領域、表示スクリーンの右側領域、及び／或いは、表示スクリーンの下側領域を含む
ことを特徴とする請求項１０乃至１４の中のいずれか１項に記載の撮影機能を調節する制御装置。
【請求項１９】
プロセッサと、
前記プロセッサが実行可能な命令を記憶するためのメモリと
を備え、
前記プロセッサは、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動し、
前記タッチ領域が前記タッチ操作を受信したと判断した場合、所定の制御情報に基づいて、撮影アプリケーション中の要素の動作状態を切り替える
ように構成されることを特徴とする撮影機能を有する端末機器。
【発明の詳細な説明】
【技術分野】
【０００１】
本発明は、信号制御技術分野に関し、特に、撮影機能を調節する制御方法、装置、及び機器に関する。
【背景技術】
【０００２】
スマートフォンの普及に伴い、携帯電話に内蔵された撮影機能は、もう人々に普遍的に認められ、スマートフォンの一番重要な機能となった。
【発明の概要】
【発明が解決しようとする課題】
【０００３】
撮影する際に、多くの場合には、ユーザによって、フロントカメラ、或いは、リアカメラを手動で切り替えて、様々な撮影目的を満たさなければならない。
【課題を解決するための手段】
【０００４】
本発明の実施例は、関連技術に存在する問題を解決するために、撮影機能を調節する制御方法、装置、及び機器を提供する。その構成は、以下のとおりである。
【０００５】
本発明の実施例に係る第１の態様によると、撮影機能を調節する制御方法を提供する。当該方法は、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、
前記タッチ領域が前記タッチ操作を受信したと判断した場合、所定の制御情報に基づいて、撮影アプリケーション中の要素の動作状態を切り替えるステップと
を含む。
【０００６】
上記の方法において、前記要素がカメラであると、所定の制御情報に基づいて、撮影アプリケーション中の要素の動作状態を切り替えるステップは、
所定の制御情報に基づいて、前記カメラの動作状態を、フロントカメラ撮影、或いは、リアカメラ撮影に切り替えるステップを含む。
【０００７】
上記の方法において、前記要素がフラッシュであると、所定の制御情報に基づいて、撮影アプリケーション中の要素の動作状態を切り替えるステップは、
所定の制御情報に基づいて、前記フラッシュの動作状態を、オン、オフ、或いは、自動に切り替えるステップを含む。
【０００８】
上記の方法において、前記要素がフロントカメラであると、所定の制御情報に基づいて、撮影アプリケーション中の要素の動作状態を切り替えるステップは、
所定の制御情報に基づいて、前記フロントカメラの動作状態を、写真撮影、或いは、動画撮影に切り替えるステップを含む。
【０００９】
上記の方法において、前記要素がリアカメラであると、所定の制御情報に基づいて、撮影アプリケーション中の要素の動作状態を切り替えるステップは、
所定の制御情報に基づいて、前記リアカメラの動作状態を、写真撮影、或いは、動画撮影に切り替えるステップを含む。
【００１０】
上記の方法において、
前記タッチ領域が一つある場合、
前記制御情報は、タッチ操作と要素との対応関係、及び、前記要素の複数の動作状態に対応する切り替え順序を含み、
所定の制御情報に基づいて、撮影アプリケーション中の要素の動作状態を切り替えるステップは、
前記タッチ操作によって、前記対応関係に基づいて、前記タッチ操作に対応する要素を取得するステップと、
前記要素に対応する切り替え順序に基づいて、現在の被制御要素に対応する複数の動作状態を切り替えるステップと
を含む。
【００１１】
上記の方法において、前記タッチ操作は、シングルクリック、マルチクリック、ダブルクリック、シングルスライド、及び／或いは、マルチスライドを含む。
【００１２】
上記の方法において、
前記タッチ領域が複数あると、
前記制御情報は、各タッチ領域の中のタッチ操作と要素との対応関係、及び、前記要素の複数の動作状態に対応する切り替え順序を含み、
所定の制御情報に基づいて、撮影アプリケーション中の要素の動作状態を切り替えるステップは、
前記タッチ領域によって前記タッチ操作を受信し、前記対応関係に基づいて、前記タッチ領域に対応する要素を取得するステップと、
前記要素に対応する切り替え順序に基づいて、前記要素に対応する複数の動作状態を切り替えるステップと
を含む。
【００１３】
上記の方法において、前記タッチ領域は、表示スクリーンの左側領域、表示スクリーンの右側領域、及び／或いは、表示スクリーンの下側領域を含む。
【００１４】
本発明の実施例に係る第２の態様によると、撮影機能を調節する制御装置を提供する。当該装置は、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するためのモニタリングモジュールと、
前記タッチ領域が前記タッチ操作を受信したと判断した場合、所定の制御情報に基づいて、撮影アプリケーション中の要素の動作状態を切り替えるための制御モジュールと
を備える。
【００１５】
上記の装置において、前記要素がカメラであると、前記制御モジュールは、
所定の制御情報に基づいて、前記カメラの動作状態を、フロントカメラ撮影、或いは、リアカメラ撮影に切り替える。
【００１６】
上記の装置において、前記要素がフラッシュであると、前記制御モジュールは、
所定の制御情報に基づいて、前記フラッシュの動作状態を、オン、オフ、或いは、自動に切り替える。
【００１７】
上記の装置において、前記要素がフロントカメラであると、前記制御モジュールは、
所定の制御情報に基づいて、前記フロントカメラの動作状態を、写真撮影、或いは、動画撮影に切り替える。
【００１８】
上記の装置において、前記要素がリアカメラであると、前記制御モジュールは、
所定の制御情報に基づいて、前記リアカメラの動作状態を、写真撮影、或いは、動画撮影に切り替える。
【００１９】
上記の装置において、
前記タッチ領域が一つある場合、
前記制御情報は、タッチ操作と要素との対応関係、及び、前記要素の複数の動作状態に対応する切り替え順序を含み、
前記制御モジュールは、
前記タッチ操作によって、前記対応関係に基づいて、前記タッチ操作に対応する要素を取得するための第１取得ユニットと、
前記要素に対応する切り替え順序に基づいて、現在の被制御要素に対応する複数の動作状態を切り替えるための第１切替ユニットと
を備える。
【００２０】
上記の装置において、前記タッチ操作は、
シングルクリック、マルチクリック、ダブルクリック、シングルスライド、及び／或いは、マルチスライドを含む。
【００２１】
上記の装置において、
前記タッチ領域が複数あると、
前記制御情報は、各タッチ領域の中のタッチ操作と要素との対応関係、及び、前記要素の複数の動作状態に対応する切り替え順序を含み、
前記制御モジュールは、
前記タッチ領域によって前記タッチ操作を受信し、前記対応関係に基づいて、前記タッチ領域に対応する要素を取得するための第２取得ユニットと、
前記要素に対応する切り替え順序に基づいて、前記要素に対応する複数の動作状態を切り替えるための第２切替ユニットと
を備える。
【００２２】
上記の装置において、前記タッチ領域は、
表示スクリーンの左側領域、表示スクリーンの右側領域、及び／或いは、表示スクリーンの下側領域を含む。
【００２３】
本発明の実施例に係る第３の態様によると、撮影機能を有する端末機器を提供する。当該機器は、
プロセッサと、
前記プロセッサが実行可能な命令を記憶するためのメモリと
を備え、
前記プロセッサは、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動し、
前記タッチ領域が前記タッチ操作を受信したと判断した場合、所定の制御情報に基づいて、撮影アプリケーション中の要素の動作状態を切り替える
ように構成される。
【発明の効果】
【００２４】
本発明の実施例が提供する構成の有益な効果は以下のとおりである。
【００２５】
撮影機能を有する表示スクリーン上でタッチ領域を予め設定して、撮影アプリケーション動作インターフェイスにおいて、表示スクリーン上の所定のタッチ領域が、所定のタッチ操作を受信したか否かのモニタリングを起動する。ここで、所定のタッチ領域は、片手で持って操作し易いポリシーによって設定されたタッチ領域である。タッチ領域が当該タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００２６】
以上の統括な記述と以下の細部記述は、ただ例示的なものであり、本発明を制限するものではないと、理解するべきである。
【図面の簡単な説明】
【００２７】
ここでの図面は、明細書に合併されて本明細書の一部を構成して本発明に合致する実施例を示し、明細書とともに本発明の原理の説明するに用いられる。
【図１】図１は、例示的な一実施例に係る撮影機能を調節する制御方法を示すフローチャートである。
【図２】図２は、例示的なもう一実施例に係る撮影機能を調節する制御方法を示すフローチャートである。
【図３】図３は、端末機器の表示スクリーン上に位置する一つのタッチ領域を示す模式図である。
【図４】図４は、例示的なもう一実施例に係る撮影機能を調節する制御方法を示すフローチャートである。
【図５】図５は、端末機器の表示スクリーン上に位置する複数のタッチ領域を示す模式図である。
【図６】図６は、例示的な一実施例に係る撮影機能を調節する制御装置を示すブロック図である。
【図７】図７は、例示的なもう一実施例に係る撮影機能を調節する制御装置を示すブロック図である。
【図８】図８は、例示的なもう一実施例に係る撮影機能を調節する制御装置を示すブロック図である。
【図９】図９は、例示的な一実施例に係る撮影機能を有する端末機器を示すブロック図である。
【図１０】図１０は、例示的な一実施例に係る撮影機能を有する端末機器を示すブロック図である。
【発明を実施するための形態】
【００２８】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【００２９】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３０】
図１は、例示的な一実施例に係る撮影機能を調節する制御方法を示すフローチャートである。当該方法は、以下のステップを含んでもよい。
【００３１】
ステップ１０１において、撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動する。
【００３２】
本実施例は、当該撮影機能を調節する制御方法を、撮影機能を調節する制御装置に適用する例を挙げて、実施過程を詳しく説明した。ここで、撮影機能を調節する制御装置は、撮影機能を有する端末機器に配置される。例えば、撮影機能を有する端末機器は、カメラを有する携帯電話及びノードパソコン、カメラ及びビデオカメラを含む。
【００３３】
撮影機能を有する端末機器の表示スクリーン上において、撮影アプリケーション中の要素の動作状態を切り替えるためのタッチ領域を予め設定する。端末機器の表示スクリーン上における当該タッチ領域の位置は、撮影者が片手で持って撮影する過程でタッチ操作し易い位置である。例えば、タッチ領域は、表示スクリーンの垂直方向における右側領域、或いは、表示スクリーン垂直方向における左側領域、或いは、表示スクリーン水平方向における下側領域であってもよい。タッチ領域の具体的な位置は、実際のアプリケーションによって、設定してもよく、本実施例ではこれに対して限定しない。
【００３４】
撮影機能を調節する制御装置は、所定のタッチ領域をモニタリングして、タッチ操作を受信したか否かを判断する。具体的な動作原理は、以下のとおりである。端末機器の表示スクリーンは、例えば、静電容量誘導によるタッチスクリーンであり、撮影者の指が表示スクリーンをタッチする場合、撮影者は一つの接地した静電容量に相当するため、タッチスクリーンと地面の間で一つの静電容量を生成する。誘導静電容量の大きさは、一般的に、数pFから数十pFであるから、これら静電容量の量の変化及び内臓タイマーに基づいて、撮影者が表示スクリーンを接触したか否かを検出できる。静電容量タッチセンサの誘導ボタンが押下されたと判断した場合、送信するタッチ操作には汎用入力／出力インターフェイスＧＰＩＯの識別子情報が含まれる。ＧＰＩＯの識別子情報に基づいて所定の位置情報テーブルを検索して、ＧＰＩＯの識別子情報に対応するタッチ領域の位置情報を取得できる。そして、撮影者がタッチ領域においてタッチ操作をしたか否かを判断できる。
【００３５】
具体的に、撮影機能を調節する制御装置が、タッチ領域がタッチ操作を受信したと判断した後に、所定のタッチ操作であるか否かを判断する動作原理は、以下のとおりである。所定の期間内に受信したタッチ操作の情況に基づいて、変化傾向を取得して、補間アルゴリズムに従って現在の指の中心位置を精度よく算出できる。位置の変化、即ち、指のスライドの方向及び変位を、撮影者の入力情報に変換して、撮影者のタッチ領域におけるタッチ操作を取得できる。ここで、タッチ操作は、シングルクリック、マルチクリック、ダブルクリック、シングルスライド、及び／或いは、マルチスライドを含む。
【００３６】
ステップ１０２において、前記タッチ領域が前記タッチ操作を受信したと判断した場合、所定の制御情報に基づいて、撮影アプリケーション中の要素の動作状態を切り替える。
【００３７】
撮影機能を調節する制御装置は、タッチ領域がタッチ操作を受信したと判断した場合、所定の制御情報に基づいて、撮影アプリケーション中の要素の動作状態を切り替える。
【００３８】
当業者は、撮影アプリケーション中の要素は、フラッシュ、カメラ、等を含むことを理解すべきである。例えば、前記要素がフラッシュであると、前記フラッシュに対応する動作状態は、オン、オフ、及び自動等を含み、前記要素がカメラであると、カメラに対応する動作状態は、フロントカメラ撮影、及びリアカメラ撮影を含み、前記要素がフロントカメラであると、前記フロントカメラに対応する動作状態は、写真撮影及び動画撮影を含み、前記要素がリアカメラであると、前記リアカメラの動作状態は、写真撮影、或いは、動画撮影を含む。
【００３９】
例を挙げて説明すると、以下のとおりである。
【００４０】
撮影者は、撮影する過程において、現在のカメラの動作状態がリアカメラ撮影状態である場合に、自分撮りしようとすると、所定の操作し易いタッチ領域にタッチ操作を送信して、当該タッチ操作に基づいてカメラの動作状態をリアカメラ撮影状態からフロントカメラ撮影状態に切り替える。
【００４１】
上記のように、本実施例によって提供する撮影機能を調節する制御方法によると、撮影機能を有する表示スクリーン上でタッチ領域を予め設定して、表示スクリーン上の所定のタッチ領域が、所定のタッチ操作を受信したか否かをモニタリングして、前記タッチ領域が前記タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００４２】
図１に示した実施例中のタッチ領域は、一つ設定してもよいし、複数設定してもよい。互いに異なるタッチ領域の分布方法に対応する制御情報の内容も互いに異なり、撮影機能を調節する制御装置がタッチ操作を分析する過程も互いに異なる。撮影機能を調節する制御装置が、所定の制御情報に基づいて、要素の複数の動作状態を切り替える過程を、もっと明確に説明するために、図２乃至図５に示した実施例によって、具体的に説明する。
【００４３】
図２は、例示的なもう一実施例に係る撮影機能を調節する制御方法を示すフローチャートである。本実施例において、一つのタッチ領域のアプリケーションの場合を、図３の例を挙げて説明する。図３は、端末機器の表示スクリーン上に位置する一つのタッチ領域を示す模式図である。
【００４４】
本実施例中の制御情報は、タッチ操作と要素との対応関係、及び、前記要素の複数の動作状態に対応する切り替え順序を含む。そのため、図１に示した実施例中のステップ１０２において、タッチ領域がタッチ操作を受信したと判断した後に、所定の制御情報に基づいて、撮影アプリケーション中の要素の動作状態を切り替える過程は、以下のステップを含んでもよい。
【００４５】
ステップ２０１において、前記タッチ操作によって、前記対応関係に基づいて、前記タッチ操作に対応する要素を取得する。
【００４６】
制御情報中の所定の対応関係を検索して、タッチ操作に対応する要素を取得する。例えば、ダブルクリックはカメラに対応し、シングルスライドはフラッシュに対応する。
【００４７】
ステップ２０２において、前記要素に対応する切り替え順序に基づいて、現在の被制御要素に対応する複数の動作状態を切り替える。
【００４８】
制御情報中の所定の切り替え順序を検索して、現在の要素に対応する切り替え順序を取得して、当該切り替え順序に基づいて当該要素の複数の動作状態を切り替える。
【００４９】
上記の実施過程を、もっと明確に説明するために、例を挙げて以下のように説明する。
【００５０】
本実施例中の制御情報は、ダブルクリックのタッチ操作はカメラに対応し、シングルスライドのタッチ操作はフラッシュに対応し、カメラに対応する切り替え順序は「フロントカメラ撮影→リアカメラ撮影」であり、当該フラッシュに対応する切り替え順序は「オン→オフ→自動」である。
【００５１】
撮影者がタッチ領域にタッチ操作を送信したことがモニタリングされた後に、前記タッチ操作がダブルクリックであると判断されると、現在の被制御要素がカメラであると特定する。カメラの現在の動作状態がフロントカメラ撮影であると、カメラに対応する切り替え順序である「フロントカメラ撮影→リアカメラ撮影」に従って、フロントカメラ撮影をリアカメラ撮影に切り替える。
【００５２】
上記のように、本実施例によって提供する撮影機能を調節する制御方法によると、所定の一つのタッチ領域において所定のタッチ操作がモニタリングされると、制御情報中、タッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００５３】
図４は、例示的なもう一実施例に係る撮影機能を調節する制御方法を示すフローチャートである。本実施例において、複数のタッチ領域のアプリケーションの場合を、図５の例を挙げて説明する。図５は、端末機器の表示スクリーン上に位置する複数のタッチ領域を示す模式図である。
【００５４】
本実施例中の制御情報は、各タッチ領域の中のタッチ操作と要素との対応関係、及び、前記要素の複数の動作状態に対応する切り替え順序を含む。そのため、図１に示した実施例中のステップ１０２において、タッチ領域がタッチ操作を受信したと判断した後に、所定の制御情報に基づいて、撮影アプリケーション中の要素の動作状態を切り替える過程は、以下のステップを含んでもよい。
【００５５】
ステップ３０１において、前記タッチ領域によって前記タッチ操作を受信し、前記対応関係に基づいて、前記タッチ領域に対応する要素を取得する。
【００５６】
具体的に、撮影機能を調節する制御装置タッチ領域が、タッチ操作を受信したと判断した後に、タッチ操作に対応するタッチ領域を判断する動作原理は、以下のとおりである。端末機器の表示スクリーンは、例えば、静電容量誘導によるタッチスクリーンであり、当撮影者の指が表示スクリーンをタッチする場合、撮影者は一つの接地した静電容量に相当するため、タッチスクリーンと地面の間で一つの静電容量を生成する。誘導静電容量の大きさは、一般的に、数pFから数十pFであるから、これら静電容量の量の変化及び内臓タイマーに基づいて、撮影者が表示スクリーンを接触したか否かを検出できる。静電容量タッチセンサの誘導ボタンが押下されたと判断した場合、送信するタッチ操作には汎用入力／出力インターフェイスＧＰＩＯの識別子情報が含まれる。ＧＰＩＯの識別子情報に基づいて所定の位置情報テーブルを検索して、ＧＰＩＯの識別子情報に対応するタッチ領域の位置情報を取得できる。そして、タッチ操作に対応するタッチ領域を判断できる。
【００５７】
前記タッチ領域によって前記タッチ操作を受信し、制御情報中の所定の各タッチ領域の中のタッチ操作と要素との対応関係に基づいて、前記タッチ領域に対応する要素を取得する。
【００５８】
ステップ３０２において、前記要素に対応する切り替え順序に基づいて、前記要素に対応する複数の動作状態を切り替える。
【００５９】
現在の要素に対応する切り替え順序を取得して、制御情報中の当該要素に対応する切り替え順序に従って、当該要素の複数の動作状態を切り替える。
【００６０】
上記の実施過程をもっと明確に説明するために、例を挙げて以下のとおり説明する。
【００６１】
本実施例中の所定のタッチ領域は、左側領域、及び右側領域を含む。
【００６２】
所定の制御情報は、左側領域においてのダブルクリックのタッチ操作はカメラに対応し、カメラに対応する切り替えは「フロントカメラ撮影→リアカメラ撮影」であり、右側領域においてのシングルスライドのタッチ操作はフラッシュに対応し、当該フラッシュに対応する切り替え順序は「オン→オフ→自動」である。
【００６３】
撮影者の左側領域におけるダブルクリックのタッチ操作がモニタリングされると、現在の被制御要素がカメラであると特定し、カメラの現在の動作状態がフロントカメラ撮影であると、カメラに対応する切り替え順序である「フロントカメラ撮影→リアカメラ撮影」に従って、フロントカメラ撮影をリアカメラ撮影に切り替える。
【００６４】
上記のように、本実施例によって提供する撮影機能を調節する制御方法によると、所定の複数のタッチ領域において所定のタッチ操作がモニタリングされると、制御情報中の、各タッチ領域においてのタッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００６５】
以下は、本発明の装置の実施例であり、本発明の方法の実施例を実行することができる。本発明の装置の実施例において記述していない細部内容に対しては、本発明の方法の実施例を参照してください。
【００６６】
図６は、例示的な一実施例に係る撮影機能を調節する制御装置を示すブロック図である。当該撮影機能を調節する制御装置は、ソフトウェア、ハードウェア、或いは、両者の組み合わせによって、実現できる。当該撮影機能を調節する制御装置は、以下のモジュールを備えてもよい。
【００６７】
モニタリングモジュール１１は、撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動する。
【００６８】
制御モジュール１２は、前記タッチ領域が前記タッチ操作を受信したと判断した場合、所定の制御情報に基づいて、撮影アプリケーション中の要素の動作状態を切り替える。
【００６９】
上記のように、本実施例によって提供する撮影機能を調節する制御装置によると、撮影機能を有する表示スクリーン上でタッチ領域を予め設定して、表示スクリーン上の所定のタッチ領域が、所定のタッチ操作を受信したか否かをモニタリングして、前記タッチ領域が前記タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００７０】
例示的な一実施例によって提供する撮影機能を調節する制御装置において、タッチ操作は、シングルクリック、マルチクリック、ダブルクリック、シングルスライド、及び／或いは、マルチスライドを含むが、これらに限定されない。
【００７１】
タッチ領域は、表示スクリーンの左側領域、表示スクリーンの右側領域、及び／或いは、表示スクリーンの下側領域を含むが、これらに限定されない。
【００７２】
要素がカメラであると、前記制御モジュールは、所定の制御情報に基づいて、前記カメラの動作状態を、フロントカメラ撮影、或いは、リアカメラ撮影に切り替える。
【００７３】
要素がフラッシュであると、前記制御モジュールは、所定の制御情報に基づいて、前記フラッシュの動作状態を、オン、オフ、或いは、自動に切り替える。
【００７４】
要素がフロントカメラであると、前記制御モジュールは、所定の制御情報に基づいて、前記フロントカメラの動作状態を、写真撮影、或いは、動画撮影に切り替える。
【００７５】
要素がリアカメラであると、前記制御モジュールは、所定の制御情報に基づいて、前記リアカメラの動作状態を、写真撮影、或いは、動画撮影に切り替える。
【００７６】
図７は、例示的な一実施例に係る撮影機能を調節する制御装置を示すブロック図である。当該撮影機能を調節する制御装置は、ソフトウェア、ハードウェア、或いは、両者の組み合わせによって、実現できる。図６に示した実施例によって、図７を示す。
【００７７】
前記タッチ領域が一つある場合、前記制御情報は、タッチ操作と要素との対応関係、及び、前記要素の複数の動作状態に対応する切り替え順序を含む。
【００７８】
前記制御モジュール１２は、第１取得ユニット１２１、及び第１切替ユニット１２２を備える。
【００７９】
第１取得ユニット１２１は、前記タッチ操作によって、前記対応関係に基づいて、前記タッチ操作に対応する要素を取得する。
【００８０】
第１切替ユニット１２２は、前記要素に対応する切り替え順序に基づいて、現在の被制御要素に対応する複数の動作状態を切り替える。
【００８１】
上記のように、本実施例によって提供する撮影機能を調節する制御装置によると、所定の一つのタッチ領域において所定のタッチ操作がモニタリングされると、制御情報中、タッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００８２】
図８は、例示的な一実施例に係る撮影機能を調節する制御装置を示すブロック図である。当該撮影機能を調節する制御装置は、ソフトウェア、ハードウェア、或いは、両者の組み合わせによって、実現できる。図６に示した実施例によって、図８を示す。
【００８３】
前記タッチ領域が複数あると、前記制御情報は、各タッチ領域の中のタッチ操作と要素との対応関係、及び、前記要素の複数の動作状態に対応する切り替え順序を含む。
【００８４】
前記制御モジュール１２は、第２取得ユニット１２３、及び第２切替ユニット１２４を備える。
【００８５】
第２取得ユニット１２３は、前記タッチ領域によって前記タッチ操作を受信し、前記対応関係に基づいて、前記タッチ領域に対応する要素を取得する。
【００８６】
第２切替ユニット１２４、前記要素に対応する切り替え順序に基づいて、前記要素に対応する複数の動作状態を切り替える。
【００８７】
上記のように、本実施例によって提供する撮影機能を調節する制御装置によると、所定の複数のタッチ領域において所定のタッチ操作がモニタリングされると、制御情報中の、各タッチ領域においてのタッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００８８】
図９は、例示的な一実施例に係る撮影機能を有する端末機器を示すブロック図である。図９に示したように、当該機器は、撮影本体１、及び、本発明の上記の実施例によって提供する撮影機能を調節する制御装置２、及び、端末機器の表示スクリーン３を備える。
【００８９】
ここで、前記端末機器は、携帯電話、カメラ、ビデオカメラ、及び、ポケットＰＣを含む。
【００９０】
ここで、撮影本体１は、フラッシュ、及び／或いは、カメラ、等を含む。
【００９１】
上記のように、本実施例によって提供する撮影機能を有する端末機器によると、撮影機能を有する表示スクリーン上でタッチ領域を予め設定して、表示スクリーン上の所定のタッチ領域においてタッチ操作を受信したか否かをモニタリングして、前記タッチ領域が前記タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００９２】
本発明の例示的な一実施例は、本発明によって提供する撮影機能を調節する方法を実現できる、撮影機能を有する端末機器を提供する。当該撮影機能を有する端末機器は、プロセッサと、プロセッサが実行可能な命令を記憶するためのメモリとを備える。
【００９３】
前記プロセッサは、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するし、
前記タッチ領域が前記タッチ操作を受信したと判断した場合、所定の制御情報に基づいて、撮影アプリケーション中の要素の動作状態を切り替える
ように構成される。
【００９４】
図１０は、例示的な一実施例に係る撮影機能を有する端末機器１３００のブロック図である。例えば、機器１３００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００９５】
図１０を参照して、機器１３００は、プロセスアセンブリ１３０２、メモリ１３０４、電源アセンブリ１３０６、マルチメディアアセンブリ１３０８、オーディオアセンブリ１３１０、入出力（Ｉ／Ｏ）インターフェイス１３１２、センサアセンブリ１３１４、及び通信アセンブリ１３１６のような一つ以上のアセンブリを含んでよい。
【００９６】
プロセスアセンブリ１３０２は、一般的には機器１３００の全体の動作を制御するものであり、例えば、表示、電話呼び出し、データ通信、カメラ動作、及び記録動作と関連する動作を制御する。プロセスアセンブリ１３０２は、一つ以上のプロセッサ１３２０を含み、これらによって命令を実行することにより、上記の方法の全部、或は一部のステップを実現するようにしてもよい。なお、プロセスアセンブリ１３０２は、一つ以上のモジュールを含み、これらによってプロセスアセンブリ１３０２と他のアセンブリの間のインタラクションを容易にするようにしてもよい。例えば、プロセスアセンブリ１３０２は、マルチメディアモジュールを含み、これらによってマルチメディアアセンブリ１３０８とプロセスアセンブリ１３０２の間のインタラクションを容易にするようにしてもよい。
【００９７】
メモリ１３０４は、各種類のデータを記憶することにより機器１３００の動作を支援するように構成される。これらのデータの例は、機器１３００において動作するいずれのアプリケーションプログラム又は方法の命令、連絡対象データ、電話帳データ、メッセージ、画像、ビデオ等を含む。メモリ１３０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９８】
電源アセンブリ１３０６は、機器１３００の多様なアセンブリに電力を供給する。電源アセンブリ１３０６は、電源管理システム、一つ以上の電源、及び機器１３００のための電力の生成、管理及び割り当てに関連付けられている他のアセンブリを含んでもよい。
【００９９】
マルチメディアアセンブリ１３０８は、前記機器１３００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１３０８は、一つのフロントカメラ、及び／又はリアカメラを含む。機器１３００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１００】
オーディオアセンブリ１３１０は、オーディオ信号を入出力するように構成されてもよい。例えば、オーディオアセンブリ１３１０は、一つのマイク（ＭＩＣ）を含み、機器１３００が、例えば呼出しモード、記録モード、及び音声認識モード等の動作モードにある場合、マイクは外部のオーディオ信号を受信することができる。受信されたオーディオ信号は、さらにメモリ１３０４に記憶されたり、通信アセンブリ１３１６を介して送信されたりされる。上記の実施例において、オーディオアセンブリ１３１０は、オーディオ信号を出力するための一つのスピーカーをさらに含む。
【０１０１】
Ｉ／Ｏインターフェイス１３１２は、プロセスアセンブリ１３０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１０２】
センサアセンブリ１３１４は、機器１３００に各種の状態に対する評価を提供するための一つ以上のセンサを含む。例えば、センサアセンブリ１３１４は、機器１３００のＯＮ／ＯＦＦ状態、機器１３００のディスプレイとキーパッドのようなアセンブリの相対的な位置決めを検出できる。また、例えば、センサアセンブリ１３１４は、機器１３００、或は機器１３００の一つのアセンブリの位置変更、ユーザと機器１３００とが接触しているか否か、機器１３００の方位、又は加速／減速、機器１３００の温度の変化を検出できる。センサアセンブリ１３１４は、何れの物理的接触がない状態にて付近の物体の存在を検出するための近接センサを含んでもよい。センサアセンブリ１３１４は、撮影アプリケーションに適用するため、ＣＭＯＳ、又はＣＣＤ画像センサのような光センサを含んでもよい。上記の実施例において、当該センサアセンブリ１３１４は、加速度センサ、ジャイロスコープセンサ、磁気センサ、圧力センサ、及び温度センサをさらに含んでもよい。
【０１０３】
通信アセンブリ１３１６は、機器１３００と他の機器の間に有線、又は利便性のよい形態の通信を提供する。機器１３００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１３１６は、放送チャンネルを介して外部の放送管理システムからの放送信号、又は放送に関連する情報を受信する。一つの例示的な実施例において、前記通信アセンブリ１３１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１０４】
例示的な実施例において、機器１３００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１０５】
例示的な実施例において、さらに、命令を含むコンピュータ読取り可能な非一時的な記録媒体、例えば命令を含むメモリ１３０４を提供しており、機器１３００のプロセッサ１３２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【０１０６】
コンピュータ読取り可能な非一時的な記録媒体は、当該記録媒体中の命令が機器１３００のプロセッサによって実行される際に、機器１３００に、撮影機能を調節する制御方法を実行させる。
【０１０７】
前記方法は、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、
前記タッチ領域が前記タッチ操作を受信したと判断した場合、所定の制御情報に基づいて、撮影アプリケーション中の要素の動作状態を切り替えるステップと
を含む。
【０１０８】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１０９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１１０】
本願は、出願番号がＣＮ２０１５１０４６２８３８.７であって、出願日が２０１５年７月３１日である中国特許出願に基づいて優先権を主張し、当該中国特許出願のすべての内容を援用する。
【図１】
2017535208.tif 000003
【図２】
2017535208.tif 000004
【図３】
2017535208.tif 000005
【図４】
2017535208.tif 000006
【図５】
2017535208.tif 000007
【図６】
2017535208.tif 000008
【図７】
2017535208.tif 000009
【図８】
2017535208.tif 000010
【図９】
2017535208.tif 000011
【図１０】
2017535208.tif 000012
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、
前記タッチ領域が前記タッチ操作を受信したと判断した場合、所定の制御情報に基づいて、撮影アプリケーション中の要素の動作状態を切り替えるステップと
を含むことを特徴とする撮影機能を調節する制御方法。
【請求項２】
前記要素がカメラであると、所定の制御情報に基づいて、撮影アプリケーション中の要素の動作状態を切り替えるステップは、
所定の制御情報に基づいて、前記カメラの動作状態を、フロントカメラ撮影、或いは、リアカメラ撮影に切り替えるステップ
を含むことを特徴とする請求項１に記載の撮影機能を調節する制御方法。
【請求項３】
前記要素がフラッシュであると、所定の制御情報に基づいて、撮影アプリケーション中の要素の動作状態を切り替えるステップは、
所定の制御情報に基づいて、前記フラッシュの動作状態を、オン、オフ、或いは、自動に切り替えるステップ
を含むことを特徴とする請求項１に記載の撮影機能を調節する制御方法。
【請求項４】
前記要素がフロントカメラであると、所定の制御情報に基づいて、撮影アプリケーション中の要素の動作状態を切り替えるステップは、
所定の制御情報に基づいて、前記フロントカメラの動作状態を、写真撮影、或いは、動画撮影に切り替えるステップ
を含むことを特徴とする請求項１に記載の撮影機能を調節する制御方法。
【請求項５】
前記要素がリアカメラであると、所定の制御情報に基づいて、撮影アプリケーション中の要素の動作状態を切り替えるステップは、
所定の制御情報に基づいて、前記リアカメラの動作状態を、写真撮影、或いは、動画撮影に切り替えるステップ
を含むことを特徴とする請求項１に記載の撮影機能を調節する制御方法。
【請求項６】
前記タッチ領域が一つある場合、
前記制御情報は、前記タッチ操作と前記要素との対応関係、及び、前記要素の複数の動作状態に対応する切り替え順序を含み、
所定の制御情報に基づいて、撮影アプリケーション中の要素の動作状態を切り替えるステップは、
前記タッチ操作によって、前記対応関係に基づいて、前記タッチ操作に対応する要素を取得するステップと、
前記要素に対応する切り替え順序に基づいて、現在の被制御要素に対応する複数の動作状態を切り替えるステップと
を含むことを特徴とする請求項１乃至５の中のいずれか１項に記載の撮影機能を調節する制御方法。
【請求項７】
前記タッチ領域が複数あると、
前記制御情報は、各タッチ領域の中の前記タッチ操作と前記要素との対応関係、及び、前記要素の複数の動作状態に対応する切り替え順序を含み、
所定の制御情報に基づいて、撮影アプリケーション中の要素の動作状態を切り替えるステップは、
前記タッチ領域によって前記タッチ操作を受信し、前記対応関係に基づいて、前記タッチ領域に対応する要素を取得するステップと、
前記要素に対応する切り替え順序に基づいて、前記要素に対応する複数の動作状態を切り替えるステップと
を含むことを特徴とする請求項１乃至５の中のいずれか１項に記載の撮影機能を調節する制御方法。
【請求項８】
前記タッチ操作は、シングルクリック、マルチクリック、ダブルクリック、シングルスライド、及び／或いは、マルチスライドを含む
ことを特徴とする請求項１乃至５の中のいずれか１項に記載の撮影機能を調節する制御方法。
【請求項９】
前記タッチ領域は、表示スクリーンの左側領域、表示スクリーンの右側領域、及び／或いは、表示スクリーンの下側領域を含む
ことを特徴とする請求項１乃至５の中のいずれか１項に記載の撮影機能を調節する制御方法。
【請求項１０】
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するためのモニタリングモジュールと、
前記タッチ領域が前記タッチ操作を受信したと判断した場合、所定の制御情報に基づいて、撮影アプリケーション中の要素の動作状態を切り替えるための制御モジュールと
を備えることを特徴とする撮影機能を調節する制御装置。
【請求項１１】
前記要素がカメラであると、前記制御モジュールは、所定の制御情報に基づいて、前記カメラの動作状態を、フロントカメラ撮影、或いは、リアカメラ撮影に切り替える
ことを特徴とする請求項１０に記載の撮影機能を調節する制御装置。
【請求項１２】
前記要素がフラッシュであると、前記制御モジュールは、所定の制御情報に基づいて、前記フラッシュの動作状態を、オン、オフ、或いは、自動に切り替える
ことを特徴とする請求項１０に記載の撮影機能を調節する制御装置。
【請求項１３】
前記要素がフロントカメラであると、前記制御モジュールは、所定の制御情報に基づいて、前記フロントカメラの動作状態を、写真撮影、或いは、動画撮影に切り替える
ことを特徴とする請求項１０に記載の撮影機能を調節する制御装置。
【請求項１４】
前記要素がリアカメラであると、前記制御モジュールは、所定の制御情報に基づいて、前記リアカメラの動作状態を、写真撮影、或いは、動画撮影に切り替える
ことを特徴とする請求項１０に記載の撮影機能を調節する制御装置。
【請求項１５】
前記タッチ領域が一つある場合、
前記制御情報は、前記タッチ操作と前記要素との対応関係、及び、前記要素の複数の動作状態に対応する切り替え順序を含み、
前記制御モジュールは、
前記タッチ操作によって、前記対応関係に基づいて、前記タッチ操作に対応する要素を取得するための第１取得ユニットと、
前記要素に対応する切り替え順序に基づいて、現在の被制御要素に対応する複数の動作状態を切り替えるための第１切替ユニットと
を備えることを特徴とする請求項１０乃至１４の中のいずれか１項に記載の撮影機能を調節する制御装置。
【請求項１６】
前記タッチ領域が複数あると、
前記制御情報は、各タッチ領域の中の前記タッチ操作と前記要素との対応関係、及び、前記要素の複数の動作状態に対応する切り替え順序を含み、
前記制御モジュールは、
前記タッチ領域によって前記タッチ操作を受信し、前記対応関係に基づいて、前記タッチ領域に対応する要素を取得するための第２取得ユニットと、
前記要素に対応する切り替え順序に基づいて、前記要素に対応する複数の動作状態を切り替えるための第２切替ユニットと
を備えることを特徴とする請求項１０乃至１４の中のいずれか１項に記載の撮影機能を調節する制御装置。
【請求項１７】
前記タッチ操作は、シングルクリック、マルチクリック、ダブルクリック、シングルスライド、及び／或いは、マルチスライドを含む
ことを特徴とする請求項１０乃至１４の中のいずれか１項に記載の撮影機能を調節する制御装置。
【請求項１８】
前記タッチ領域は、表示スクリーンの左側領域、表示スクリーンの右側領域、及び／或いは、表示スクリーンの下側領域を含む
ことを特徴とする請求項１０乃至１４の中のいずれか１項に記載の撮影機能を調節する制御装置。
【請求項１９】
プロセッサと、
前記プロセッサが実行可能な命令を記憶するためのメモリと
を備え、
前記プロセッサは、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動し、
前記タッチ領域が前記タッチ操作を受信したと判断した場合、所定の制御情報に基づいて、撮影アプリケーション中の要素の動作状態を切り替える
ように構成されることを特徴とする撮影機能を有する端末機器。
【請求項２０】
プロセッサに実行されることにより、請求項１から請求項９のいずれか１項に記載の撮影機能を調節する制御方法を実現することを特徴とするプログラム。
【請求項２１】
請求項２０に記載のプログラムが記録されたコンピュータ読取り可能な非一時的な記録媒体。
【手続補正２】
【補正対象書類名】明細書
【補正対象項目名】全文
【補正方法】変更
【補正の内容】
【発明の詳細な説明】
【技術分野】
【０００１】
本発明は、信号制御技術分野に関し、特に、撮影機能を調節する制御方法、制御装置、端末機器、プログラム及び記録媒体に関する。
【背景技術】
【０００２】
スマートフォンの普及に伴い、携帯電話に内蔵された撮影機能は、もう人々に普遍的に認められ、スマートフォンの一番重要な機能となった。
【発明の概要】
【発明が解決しようとする課題】
【０００３】
撮影する際に、多くの場合には、ユーザによって、フロントカメラ、或いは、リアカメラを手動で切り替えて、様々な撮影目的を満たさなければならない。
【課題を解決するための手段】
【０００４】
本発明の実施例は、関連技術に存在する問題を解決するために、撮影機能を調節する制御方法、制御装置、端末機器、プログラム及び記録媒体を提供する。その構成は、以下のとおりである。
【０００５】
本発明の実施例に係る第１の態様によると、撮影機能を調節する制御方法を提供する。当該方法は、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、
前記タッチ領域が前記タッチ操作を受信したと判断した場合、所定の制御情報に基づいて、撮影アプリケーション中の要素の動作状態を切り替えるステップと
を含む。
【０００６】
上記の方法において、前記要素がカメラであると、所定の制御情報に基づいて、撮影アプリケーション中の要素の動作状態を切り替えるステップは、
所定の制御情報に基づいて、前記カメラの動作状態を、フロントカメラ撮影、或いは、リアカメラ撮影に切り替えるステップを含む。
【０００７】
上記の方法において、前記要素がフラッシュであると、所定の制御情報に基づいて、撮影アプリケーション中の要素の動作状態を切り替えるステップは、
所定の制御情報に基づいて、前記フラッシュの動作状態を、オン、オフ、或いは、自動に切り替えるステップを含む。
【０００８】
上記の方法において、前記要素がフロントカメラであると、所定の制御情報に基づいて、撮影アプリケーション中の要素の動作状態を切り替えるステップは、
所定の制御情報に基づいて、前記フロントカメラの動作状態を、写真撮影、或いは、動画撮影に切り替えるステップを含む。
【０００９】
上記の方法において、前記要素がリアカメラであると、所定の制御情報に基づいて、撮影アプリケーション中の要素の動作状態を切り替えるステップは、
所定の制御情報に基づいて、前記リアカメラの動作状態を、写真撮影、或いは、動画撮影に切り替えるステップを含む。
【００１０】
上記の方法において、
前記タッチ領域が一つある場合、
前記制御情報は、タッチ操作と要素との対応関係、及び、前記要素の複数の動作状態に対応する切り替え順序を含み、
所定の制御情報に基づいて、撮影アプリケーション中の要素の動作状態を切り替えるステップは、
前記タッチ操作によって、前記対応関係に基づいて、前記タッチ操作に対応する要素を取得するステップと、
前記要素に対応する切り替え順序に基づいて、現在の被制御要素に対応する複数の動作状態を切り替えるステップと
を含む。
【００１１】
上記の方法において、前記タッチ操作は、シングルクリック、マルチクリック、ダブルクリック、シングルスライド、及び／或いは、マルチスライドを含む。
【００１２】
上記の方法において、
前記タッチ領域が複数あると、
前記制御情報は、各タッチ領域の中のタッチ操作と要素との対応関係、及び、前記要素の複数の動作状態に対応する切り替え順序を含み、
所定の制御情報に基づいて、撮影アプリケーション中の要素の動作状態を切り替えるステップは、
前記タッチ領域によって前記タッチ操作を受信し、前記対応関係に基づいて、前記タッチ領域に対応する要素を取得するステップと、
前記要素に対応する切り替え順序に基づいて、前記要素に対応する複数の動作状態を切り替えるステップと
を含む。
【００１３】
上記の方法において、前記タッチ領域は、表示スクリーンの左側領域、表示スクリーンの右側領域、及び／或いは、表示スクリーンの下側領域を含む。
【００１４】
本発明の実施例に係る第２の態様によると、撮影機能を調節する制御装置を提供する。当該装置は、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するためのモニタリングモジュールと、
前記タッチ領域が前記タッチ操作を受信したと判断した場合、所定の制御情報に基づいて、撮影アプリケーション中の要素の動作状態を切り替えるための制御モジュールと
を備える。
【００１５】
上記の装置において、前記要素がカメラであると、前記制御モジュールは、
所定の制御情報に基づいて、前記カメラの動作状態を、フロントカメラ撮影、或いは、リアカメラ撮影に切り替える。
【００１６】
上記の装置において、前記要素がフラッシュであると、前記制御モジュールは、
所定の制御情報に基づいて、前記フラッシュの動作状態を、オン、オフ、或いは、自動に切り替える。
【００１７】
上記の装置において、前記要素がフロントカメラであると、前記制御モジュールは、
所定の制御情報に基づいて、前記フロントカメラの動作状態を、写真撮影、或いは、動画撮影に切り替える。
【００１８】
上記の装置において、前記要素がリアカメラであると、前記制御モジュールは、
所定の制御情報に基づいて、前記リアカメラの動作状態を、写真撮影、或いは、動画撮影に切り替える。
【００１９】
上記の装置において、
前記タッチ領域が一つある場合、
前記制御情報は、タッチ操作と要素との対応関係、及び、前記要素の複数の動作状態に対応する切り替え順序を含み、
前記制御モジュールは、
前記タッチ操作によって、前記対応関係に基づいて、前記タッチ操作に対応する要素を取得するための第１取得ユニットと、
前記要素に対応する切り替え順序に基づいて、現在の被制御要素に対応する複数の動作状態を切り替えるための第１切替ユニットと
を備える。
【００２０】
上記の装置において、前記タッチ操作は、
シングルクリック、マルチクリック、ダブルクリック、シングルスライド、及び／或いは、マルチスライドを含む。
【００２１】
上記の装置において、
前記タッチ領域が複数あると、
前記制御情報は、各タッチ領域の中のタッチ操作と要素との対応関係、及び、前記要素の複数の動作状態に対応する切り替え順序を含み、
前記制御モジュールは、
前記タッチ領域によって前記タッチ操作を受信し、前記対応関係に基づいて、前記タッチ領域に対応する要素を取得するための第２取得ユニットと、
前記要素に対応する切り替え順序に基づいて、前記要素に対応する複数の動作状態を切り替えるための第２切替ユニットと
を備える。
【００２２】
上記の装置において、前記タッチ領域は、
表示スクリーンの左側領域、表示スクリーンの右側領域、及び／或いは、表示スクリーンの下側領域を含む。
【００２３】
本発明の実施例に係る第３の態様によると、撮影機能を有する端末機器を提供する。当該機器は、
プロセッサと、
前記プロセッサが実行可能な命令を記憶するためのメモリと
を備え、
前記プロセッサは、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動し、
前記タッチ領域が前記タッチ操作を受信したと判断した場合、所定の制御情報に基づいて、撮影アプリケーション中の要素の動作状態を切り替える
ように構成される。
本発明の実施例の第４の態様によると、プログラムを提供し、当該プログラムは、プロセッサに実行されることにより、上記の撮影機能を調節する制御方法を実現する。
本発明の実施例の第５の態様によると、コンピュータ読取り可能な非一時的な記録媒体を提供し、当該記録媒体には、上記プログラムが記録されている。
【発明の効果】
【００２４】
本発明の実施例が提供する構成の有益な効果は以下のとおりである。
【００２５】
撮影機能を有する表示スクリーン上でタッチ領域を予め設定して、撮影アプリケーション動作インターフェイスにおいて、表示スクリーン上の所定のタッチ領域が、所定のタッチ操作を受信したか否かのモニタリングを起動する。ここで、所定のタッチ領域は、片手で持って操作し易いポリシーによって設定されたタッチ領域である。タッチ領域が当該タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００２６】
以上の統括な記述と以下の細部記述は、ただ例示的なものであり、本発明を制限するものではないと、理解するべきである。
【図面の簡単な説明】
【００２７】
ここでの図面は、明細書に合併されて本明細書の一部を構成して本発明に合致する実施例を示し、明細書とともに本発明の原理の説明するに用いられる。
【図１】図１は、例示的な一実施例に係る撮影機能を調節する制御方法を示すフローチャートである。
【図２】図２は、例示的なもう一実施例に係る撮影機能を調節する制御方法を示すフローチャートである。
【図３】図３は、端末機器の表示スクリーン上に位置する一つのタッチ領域を示す模式図である。
【図４】図４は、例示的なもう一実施例に係る撮影機能を調節する制御方法を示すフローチャートである。
【図５】図５は、端末機器の表示スクリーン上に位置する複数のタッチ領域を示す模式図である。
【図６】図６は、例示的な一実施例に係る撮影機能を調節する制御装置を示すブロック図である。
【図７】図７は、例示的なもう一実施例に係る撮影機能を調節する制御装置を示すブロック図である。
【図８】図８は、例示的なもう一実施例に係る撮影機能を調節する制御装置を示すブロック図である。
【図９】図９は、例示的な一実施例に係る撮影機能を有する端末機器を示すブロック図である。
【図１０】図１０は、例示的な一実施例に係る撮影機能を有する端末機器を示すブロック図である。
【発明を実施するための形態】
【００２８】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【００２９】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３０】
図１は、例示的な一実施例に係る撮影機能を調節する制御方法を示すフローチャートである。当該方法は、以下のステップを含んでもよい。
【００３１】
ステップ１０１において、撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動する。
【００３２】
本実施例は、当該撮影機能を調節する制御方法を、撮影機能を調節する制御装置に適用する例を挙げて、実施過程を詳しく説明した。ここで、撮影機能を調節する制御装置は、撮影機能を有する端末機器に配置される。例えば、撮影機能を有する端末機器は、カメラを有する携帯電話及びノードパソコン、カメラ及びビデオカメラを含む。
【００３３】
撮影機能を有する端末機器の表示スクリーン上において、撮影アプリケーション中の要素の動作状態を切り替えるためのタッチ領域を予め設定する。端末機器の表示スクリーン上における当該タッチ領域の位置は、撮影者が片手で持って撮影する過程でタッチ操作し易い位置である。例えば、タッチ領域は、表示スクリーンの垂直方向における右側領域、或いは、表示スクリーン垂直方向における左側領域、或いは、表示スクリーン水平方向における下側領域であってもよい。タッチ領域の具体的な位置は、実際のアプリケーションによって、設定してもよく、本実施例ではこれに対して限定しない。
【００３４】
撮影機能を調節する制御装置は、所定のタッチ領域をモニタリングして、タッチ操作を受信したか否かを判断する。具体的な動作原理は、以下のとおりである。端末機器の表示スクリーンは、例えば、静電容量誘導によるタッチスクリーンであり、撮影者の指が表示スクリーンをタッチする場合、撮影者は一つの接地した静電容量に相当するため、タッチスクリーンと地面の間で一つの静電容量を生成する。誘導静電容量の大きさは、一般的に、数pFから数十pFであるから、これら静電容量の量の変化及び内臓タイマーに基づいて、撮影者が表示スクリーンを接触したか否かを検出できる。静電容量タッチセンサの誘導ボタンが押下されたと判断した場合、送信するタッチ操作には汎用入力／出力インターフェイスＧＰＩＯの識別子情報が含まれる。ＧＰＩＯの識別子情報に基づいて所定の位置情報テーブルを検索して、ＧＰＩＯの識別子情報に対応するタッチ領域の位置情報を取得できる。そして、撮影者がタッチ領域においてタッチ操作をしたか否かを判断できる。
【００３５】
具体的に、撮影機能を調節する制御装置が、タッチ領域がタッチ操作を受信したと判断した後に、所定のタッチ操作であるか否かを判断する動作原理は、以下のとおりである。所定の期間内に受信したタッチ操作の情況に基づいて、変化傾向を取得して、補間アルゴリズムに従って現在の指の中心位置を精度よく算出できる。位置の変化、即ち、指のスライドの方向及び変位を、撮影者の入力情報に変換して、撮影者のタッチ領域におけるタッチ操作を取得できる。ここで、タッチ操作は、シングルクリック、マルチクリック、ダブルクリック、シングルスライド、及び／或いは、マルチスライドを含む。
【００３６】
ステップ１０２において、前記タッチ領域が前記タッチ操作を受信したと判断した場合、所定の制御情報に基づいて、撮影アプリケーション中の要素の動作状態を切り替える。
【００３７】
撮影機能を調節する制御装置は、タッチ領域がタッチ操作を受信したと判断した場合、所定の制御情報に基づいて、撮影アプリケーション中の要素の動作状態を切り替える。
【００３８】
当業者は、撮影アプリケーション中の要素は、フラッシュ、カメラ、等を含むことを理解すべきである。例えば、前記要素がフラッシュであると、前記フラッシュに対応する動作状態は、オン、オフ、及び自動等を含み、前記要素がカメラであると、カメラに対応する動作状態は、フロントカメラ撮影、及びリアカメラ撮影を含み、前記要素がフロントカメラであると、前記フロントカメラに対応する動作状態は、写真撮影及び動画撮影を含み、前記要素がリアカメラであると、前記リアカメラの動作状態は、写真撮影、或いは、動画撮影を含む。
【００３９】
例を挙げて説明すると、以下のとおりである。
【００４０】
撮影者は、撮影する過程において、現在のカメラの動作状態がリアカメラ撮影状態である場合に、自分撮りしようとすると、所定の操作し易いタッチ領域にタッチ操作を送信して、当該タッチ操作に基づいてカメラの動作状態をリアカメラ撮影状態からフロントカメラ撮影状態に切り替える。
【００４１】
上記のように、本実施例によって提供する撮影機能を調節する制御方法によると、撮影機能を有する表示スクリーン上でタッチ領域を予め設定して、表示スクリーン上の所定のタッチ領域が、所定のタッチ操作を受信したか否かをモニタリングして、前記タッチ領域が前記タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００４２】
図１に示した実施例中のタッチ領域は、一つ設定してもよいし、複数設定してもよい。互いに異なるタッチ領域の分布方法に対応する制御情報の内容も互いに異なり、撮影機能を調節する制御装置がタッチ操作を分析する過程も互いに異なる。撮影機能を調節する制御装置が、所定の制御情報に基づいて、要素の複数の動作状態を切り替える過程を、もっと明確に説明するために、図２乃至図５に示した実施例によって、具体的に説明する。
【００４３】
図２は、例示的なもう一実施例に係る撮影機能を調節する制御方法を示すフローチャートである。本実施例において、一つのタッチ領域のアプリケーションの場合を、図３の例を挙げて説明する。図３は、端末機器の表示スクリーン上に位置する一つのタッチ領域を示す模式図である。
【００４４】
本実施例中の制御情報は、タッチ操作と要素との対応関係、及び、前記要素の複数の動作状態に対応する切り替え順序を含む。そのため、図１に示した実施例中のステップ１０２において、タッチ領域がタッチ操作を受信したと判断した後に、所定の制御情報に基づいて、撮影アプリケーション中の要素の動作状態を切り替える過程は、以下のステップを含んでもよい。
【００４５】
ステップ２０１において、前記タッチ操作によって、前記対応関係に基づいて、前記タッチ操作に対応する要素を取得する。
【００４６】
制御情報中の所定の対応関係を検索して、タッチ操作に対応する要素を取得する。例えば、ダブルクリックはカメラに対応し、シングルスライドはフラッシュに対応する。
【００４７】
ステップ２０２において、前記要素に対応する切り替え順序に基づいて、現在の被制御要素に対応する複数の動作状態を切り替える。
【００４８】
制御情報中の所定の切り替え順序を検索して、現在の要素に対応する切り替え順序を取得して、当該切り替え順序に基づいて当該要素の複数の動作状態を切り替える。
【００４９】
上記の実施過程を、もっと明確に説明するために、例を挙げて以下のように説明する。
【００５０】
本実施例中の制御情報は、ダブルクリックのタッチ操作はカメラに対応し、シングルスライドのタッチ操作はフラッシュに対応し、カメラに対応する切り替え順序は「フロントカメラ撮影→リアカメラ撮影」であり、当該フラッシュに対応する切り替え順序は「オン→オフ→自動」である。
【００５１】
撮影者がタッチ領域にタッチ操作を送信したことがモニタリングされた後に、前記タッチ操作がダブルクリックであると判断されると、現在の被制御要素がカメラであると特定する。カメラの現在の動作状態がフロントカメラ撮影であると、カメラに対応する切り替え順序である「フロントカメラ撮影→リアカメラ撮影」に従って、フロントカメラ撮影をリアカメラ撮影に切り替える。
【００５２】
上記のように、本実施例によって提供する撮影機能を調節する制御方法によると、所定の一つのタッチ領域において所定のタッチ操作がモニタリングされると、制御情報中、タッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００５３】
図４は、例示的なもう一実施例に係る撮影機能を調節する制御方法を示すフローチャートである。本実施例において、複数のタッチ領域のアプリケーションの場合を、図５の例を挙げて説明する。図５は、端末機器の表示スクリーン上に位置する複数のタッチ領域を示す模式図である。
【００５４】
本実施例中の制御情報は、各タッチ領域の中のタッチ操作と要素との対応関係、及び、前記要素の複数の動作状態に対応する切り替え順序を含む。そのため、図１に示した実施例中のステップ１０２において、タッチ領域がタッチ操作を受信したと判断した後に、所定の制御情報に基づいて、撮影アプリケーション中の要素の動作状態を切り替える過程は、以下のステップを含んでもよい。
【００５５】
ステップ３０１において、前記タッチ領域によって前記タッチ操作を受信し、前記対応関係に基づいて、前記タッチ領域に対応する要素を取得する。
【００５６】
具体的に、撮影機能を調節する制御装置タッチ領域が、タッチ操作を受信したと判断した後に、タッチ操作に対応するタッチ領域を判断する動作原理は、以下のとおりである。端末機器の表示スクリーンは、例えば、静電容量誘導によるタッチスクリーンであり、当撮影者の指が表示スクリーンをタッチする場合、撮影者は一つの接地した静電容量に相当するため、タッチスクリーンと地面の間で一つの静電容量を生成する。誘導静電容量の大きさは、一般的に、数pFから数十pFであるから、これら静電容量の量の変化及び内臓タイマーに基づいて、撮影者が表示スクリーンを接触したか否かを検出できる。静電容量タッチセンサの誘導ボタンが押下されたと判断した場合、送信するタッチ操作には汎用入力／出力インターフェイスＧＰＩＯの識別子情報が含まれる。ＧＰＩＯの識別子情報に基づいて所定の位置情報テーブルを検索して、ＧＰＩＯの識別子情報に対応するタッチ領域の位置情報を取得できる。そして、タッチ操作に対応するタッチ領域を判断できる。
【００５７】
前記タッチ領域によって前記タッチ操作を受信し、制御情報中の所定の各タッチ領域の中のタッチ操作と要素との対応関係に基づいて、前記タッチ領域に対応する要素を取得する。
【００５８】
ステップ３０２において、前記要素に対応する切り替え順序に基づいて、前記要素に対応する複数の動作状態を切り替える。
【００５９】
現在の要素に対応する切り替え順序を取得して、制御情報中の当該要素に対応する切り替え順序に従って、当該要素の複数の動作状態を切り替える。
【００６０】
上記の実施過程をもっと明確に説明するために、例を挙げて以下のとおり説明する。
【００６１】
本実施例中の所定のタッチ領域は、左側領域、及び右側領域を含む。
【００６２】
所定の制御情報は、左側領域においてのダブルクリックのタッチ操作はカメラに対応し、カメラに対応する切り替えは「フロントカメラ撮影→リアカメラ撮影」であり、右側領域においてのシングルスライドのタッチ操作はフラッシュに対応し、当該フラッシュに対応する切り替え順序は「オン→オフ→自動」である。
【００６３】
撮影者の左側領域におけるダブルクリックのタッチ操作がモニタリングされると、現在の被制御要素がカメラであると特定し、カメラの現在の動作状態がフロントカメラ撮影であると、カメラに対応する切り替え順序である「フロントカメラ撮影→リアカメラ撮影」に従って、フロントカメラ撮影をリアカメラ撮影に切り替える。
【００６４】
上記のように、本実施例によって提供する撮影機能を調節する制御方法によると、所定の複数のタッチ領域において所定のタッチ操作がモニタリングされると、制御情報中の、各タッチ領域においてのタッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００６５】
以下は、本発明の装置の実施例であり、本発明の方法の実施例を実行することができる。本発明の装置の実施例において記述していない細部内容に対しては、本発明の方法の実施例を参照してください。
【００６６】
図６は、例示的な一実施例に係る撮影機能を調節する制御装置を示すブロック図である。当該撮影機能を調節する制御装置は、ソフトウェア、ハードウェア、或いは、両者の組み合わせによって、実現できる。当該撮影機能を調節する制御装置は、以下のモジュールを備えてもよい。
【００６７】
モニタリングモジュール１１は、撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動する。
【００６８】
制御モジュール１２は、前記タッチ領域が前記タッチ操作を受信したと判断した場合、所定の制御情報に基づいて、撮影アプリケーション中の要素の動作状態を切り替える。
【００６９】
上記のように、本実施例によって提供する撮影機能を調節する制御装置によると、撮影機能を有する表示スクリーン上でタッチ領域を予め設定して、表示スクリーン上の所定のタッチ領域が、所定のタッチ操作を受信したか否かをモニタリングして、前記タッチ領域が前記タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００７０】
例示的な一実施例によって提供する撮影機能を調節する制御装置において、タッチ操作は、シングルクリック、マルチクリック、ダブルクリック、シングルスライド、及び／或いは、マルチスライドを含むが、これらに限定されない。
【００７１】
タッチ領域は、表示スクリーンの左側領域、表示スクリーンの右側領域、及び／或いは、表示スクリーンの下側領域を含むが、これらに限定されない。
【００７２】
要素がカメラであると、前記制御モジュールは、所定の制御情報に基づいて、前記カメラの動作状態を、フロントカメラ撮影、或いは、リアカメラ撮影に切り替える。
【００７３】
要素がフラッシュであると、前記制御モジュールは、所定の制御情報に基づいて、前記フラッシュの動作状態を、オン、オフ、或いは、自動に切り替える。
【００７４】
要素がフロントカメラであると、前記制御モジュールは、所定の制御情報に基づいて、前記フロントカメラの動作状態を、写真撮影、或いは、動画撮影に切り替える。
【００７５】
要素がリアカメラであると、前記制御モジュールは、所定の制御情報に基づいて、前記リアカメラの動作状態を、写真撮影、或いは、動画撮影に切り替える。
【００７６】
図７は、例示的な一実施例に係る撮影機能を調節する制御装置を示すブロック図である。当該撮影機能を調節する制御装置は、ソフトウェア、ハードウェア、或いは、両者の組み合わせによって、実現できる。図６に示した実施例によって、図７を示す。
【００７７】
前記タッチ領域が一つある場合、前記制御情報は、タッチ操作と要素との対応関係、及び、前記要素の複数の動作状態に対応する切り替え順序を含む。
【００７８】
前記制御モジュール１２は、第１取得ユニット１２１、及び第１切替ユニット１２２を備える。
【００７９】
第１取得ユニット１２１は、前記タッチ操作によって、前記対応関係に基づいて、前記タッチ操作に対応する要素を取得する。
【００８０】
第１切替ユニット１２２は、前記要素に対応する切り替え順序に基づいて、現在の被制御要素に対応する複数の動作状態を切り替える。
【００８１】
上記のように、本実施例によって提供する撮影機能を調節する制御装置によると、所定の一つのタッチ領域において所定のタッチ操作がモニタリングされると、制御情報中、タッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００８２】
図８は、例示的な一実施例に係る撮影機能を調節する制御装置を示すブロック図である。当該撮影機能を調節する制御装置は、ソフトウェア、ハードウェア、或いは、両者の組み合わせによって、実現できる。図６に示した実施例によって、図８を示す。
【００８３】
前記タッチ領域が複数あると、前記制御情報は、各タッチ領域の中のタッチ操作と要素との対応関係、及び、前記要素の複数の動作状態に対応する切り替え順序を含む。
【００８４】
前記制御モジュール１２は、第２取得ユニット１２３、及び第２切替ユニット１２４を備える。
【００８５】
第２取得ユニット１２３は、前記タッチ領域によって前記タッチ操作を受信し、前記対応関係に基づいて、前記タッチ領域に対応する要素を取得する。
【００８６】
第２切替ユニット１２４、前記要素に対応する切り替え順序に基づいて、前記要素に対応する複数の動作状態を切り替える。
【００８７】
上記のように、本実施例によって提供する撮影機能を調節する制御装置によると、所定の複数のタッチ領域において所定のタッチ操作がモニタリングされると、制御情報中の、各タッチ領域においてのタッチ操作と要素との対応関係、及び、当該要素に対応する切り替え順序に基づいて、当該要素に対応する複数の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した上に、撮影者のタッチ習慣に基づいて個性化のサービスを提供して、ユーザ体験を改善した。
【００８８】
図９は、例示的な一実施例に係る撮影機能を有する端末機器を示すブロック図である。図９に示したように、当該機器は、撮影本体１、及び、本発明の上記の実施例によって提供する撮影機能を調節する制御装置２、及び、端末機器の表示スクリーン３を備える。
【００８９】
ここで、前記端末機器は、携帯電話、カメラ、ビデオカメラ、及び、ポケットＰＣを含む。
【００９０】
ここで、撮影本体１は、フラッシュ、及び／或いは、カメラ、等を含む。
【００９１】
上記のように、本実施例によって提供する撮影機能を有する端末機器によると、撮影機能を有する表示スクリーン上でタッチ領域を予め設定して、表示スクリーン上の所定のタッチ領域においてタッチ操作を受信したか否かをモニタリングして、前記タッチ領域が前記タッチ操作を受信したと判断した場合、所定の制御情報に基づいて、撮影アプリケーション中の要素の動作状態を切り替える。このようにして、撮影する時に撮影者のタッチ操作し易いタッチ領域に対する制御によって、現在の被制御要素の動作状態に対する便利な切り替えを実現して、撮影効率及び撮影品質を改善した。
【００９２】
本発明の例示的な一実施例は、本発明によって提供する撮影機能を調節する方法を実現できる、撮影機能を有する端末機器を提供する。当該撮影機能を有する端末機器は、プロセッサと、プロセッサが実行可能な命令を記憶するためのメモリとを備える。
【００９３】
前記プロセッサは、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するし、
前記タッチ領域が前記タッチ操作を受信したと判断した場合、所定の制御情報に基づいて、撮影アプリケーション中の要素の動作状態を切り替える
ように構成される。
【００９４】
図１０は、例示的な一実施例に係る撮影機能を有する端末機器１３００のブロック図である。例えば、機器１３００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００９５】
図１０を参照して、機器１３００は、プロセスアセンブリ１３０２、メモリ１３０４、電源アセンブリ１３０６、マルチメディアアセンブリ１３０８、オーディオアセンブリ１３１０、入出力（Ｉ／Ｏ）インターフェイス１３１２、センサアセンブリ１３１４、及び通信アセンブリ１３１６のような一つ以上のアセンブリを含んでよい。
【００９６】
プロセスアセンブリ１３０２は、一般的には機器１３００の全体の動作を制御するものであり、例えば、表示、電話呼び出し、データ通信、カメラ動作、及び記録動作と関連する動作を制御する。プロセスアセンブリ１３０２は、一つ以上のプロセッサ１３２０を含み、これらによって命令を実行することにより、上記の方法の全部、或は一部のステップを実現するようにしてもよい。なお、プロセスアセンブリ１３０２は、一つ以上のモジュールを含み、これらによってプロセスアセンブリ１３０２と他のアセンブリの間のインタラクションを容易にするようにしてもよい。例えば、プロセスアセンブリ１３０２は、マルチメディアモジュールを含み、これらによってマルチメディアアセンブリ１３０８とプロセスアセンブリ１３０２の間のインタラクションを容易にするようにしてもよい。
【００９７】
メモリ１３０４は、各種類のデータを記憶することにより機器１３００の動作を支援するように構成される。これらのデータの例は、機器１３００において動作するいずれのアプリケーションプログラム又は方法の命令、連絡対象データ、電話帳データ、メッセージ、画像、ビデオ等を含む。メモリ１３０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９８】
電源アセンブリ１３０６は、機器１３００の多様なアセンブリに電力を供給する。電源アセンブリ１３０６は、電源管理システム、一つ以上の電源、及び機器１３００のための電力の生成、管理及び割り当てに関連付けられている他のアセンブリを含んでもよい。
【００９９】
マルチメディアアセンブリ１３０８は、前記機器１３００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの動作の境界だけでなく、前記のタッチ、或はスワイプ操作に係る継続時間及び圧力も検出できる。上記の実施例において、マルチメディアアセンブリ１３０８は、一つのフロントカメラ、及び／又はリアカメラを含む。機器１３００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１００】
オーディオアセンブリ１３１０は、オーディオ信号を入出力するように構成されてもよい。例えば、オーディオアセンブリ１３１０は、一つのマイク（ＭＩＣ）を含み、機器１３００が、例えば呼出しモード、記録モード、及び音声認識モード等の動作モードにある場合、マイクは外部のオーディオ信号を受信することができる。受信されたオーディオ信号は、さらにメモリ１３０４に記憶されたり、通信アセンブリ１３１６を介して送信されたりされる。上記の実施例において、オーディオアセンブリ１３１０は、オーディオ信号を出力するための一つのスピーカーをさらに含む。
【０１０１】
Ｉ／Ｏインターフェイス１３１２は、プロセスアセンブリ１３０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１０２】
センサアセンブリ１３１４は、機器１３００に各種の状態に対する評価を提供するための一つ以上のセンサを含む。例えば、センサアセンブリ１３１４は、機器１３００のＯＮ／ＯＦＦ状態、機器１３００のディスプレイとキーパッドのようなアセンブリの相対的な位置決めを検出できる。また、例えば、センサアセンブリ１３１４は、機器１３００、或は機器１３００の一つのアセンブリの位置変更、ユーザと機器１３００とが接触しているか否か、機器１３００の方位、又は加速／減速、機器１３００の温度の変化を検出できる。センサアセンブリ１３１４は、何れの物理的接触がない状態にて付近の物体の存在を検出するための近接センサを含んでもよい。センサアセンブリ１３１４は、撮影アプリケーションに適用するため、ＣＭＯＳ、又はＣＣＤ画像センサのような光センサを含んでもよい。上記の実施例において、当該センサアセンブリ１３１４は、加速度センサ、ジャイロスコープセンサ、磁気センサ、圧力センサ、及び温度センサをさらに含んでもよい。
【０１０３】
通信アセンブリ１３１６は、機器１３００と他の機器の間に有線、又は利便性のよい形態の通信を提供する。機器１３００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１３１６は、放送チャンネルを介して外部の放送管理システムからの放送信号、又は放送に関連する情報を受信する。一つの例示的な実施例において、前記通信アセンブリ１３１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１０４】
例示的な実施例において、機器１３００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１０５】
例示的な実施例において、さらに、命令を含むコンピュータ読取り可能な非一時的な記録媒体、例えば命令を含むメモリ１３０４を提供しており、機器１３００のプロセッサ１３２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【０１０６】
コンピュータ読取り可能な非一時的な記録媒体は、当該記録媒体中の命令が機器１３００のプロセッサによって実行される際に、機器１３００に、撮影機能を調節する制御方法を実行させる。
【０１０７】
前記方法は、
撮影アプリケーション機能を起動したことがモニタリングされると、撮影アプリケーション動作インターフェイスにおいて、片手で持って操作し易いポリシーによって表示スクリーン上に設定された所定のタッチ領域が、所定のタッチ操作を受信したか否かのモニタリングを起動するステップと、
前記タッチ領域が前記タッチ操作を受信したと判断した場合、所定の制御情報に基づいて、撮影アプリケーション中の要素の動作状態を切り替えるステップと
を含む。
【０１０８】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１０９】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【０１１０】
本願は、出願番号がＣＮ２０１５１０４６２８３８.７であって、出願日が２０１５年７月３１日である中国特許出願に基づいて優先権を主張し、当該中国特許出願のすべての内容を援用する。
【国際調査報告】
2017535208.tif 000013
2017535208.tif 000014
2017535208.tif 000015
2017535208.tif 000016